(57)【要約】 【課題】  地震発生時に倒壊を防止するための免震機能を具えた石灯籠と言う新規な製品の提供を図る。【解決手段】  石灯籠を構成する火袋４の頂面中央部に弾力性を具えたゴム製柱６を立設すると共に、当該ゴム製柱６の上端に対し、下面を凹状面5aとする笠石状を呈するバランス用重り５を、その内面中心部において連結するように構成した免震機能を具えた石灯籠。【選択図】  図１
2013248765.tif 000002
【特許請求の範囲】
【請求項１】
石灯籠を構成する火袋(４)の頂面中央部に弾力性を具えたゴム製柱(６)を立設すると共に、当該ゴム製柱(６)の上端に対し、下面を凹状面(5a)とする笠石状を呈するバランス用重り(５)を、その内面中心部において連結するように構成した免震機能を具えた石灯籠。
【請求項２】
バランス用重り(５)として、既存の石灯籠の笠から加工形成したものを用いるようにした請求項１に記載の免震機能を具えた石灯籠。
【請求項３】
ゴム製柱(６)の表面に劣化防止用の被覆材を設けるように構成した請求項１または請求項２の何れかに記載の免震機能を具えた石灯籠。
【請求項４】
火袋(４)の上面周縁寄りに、バランス用重り(５)に対する緩衝材(７)を取付けるように構成した請求項１乃至請求項３の何れかに記載の免震機能を具えた石灯籠。
【請求項５】
基礎(１)、竿(２)、中台(３)、火袋(４)の各積み重ね縁部分に、ゴム製コーナ片(８)を取付けるように構成した請求項１乃至請求項４の何れかに記載の免震機能を具えた石灯籠。
【発明の詳細な説明】
【技術分野】
【０００１】
本発明は、地震発生時に倒壊を防止するための免震機能を具えた石灯籠に関する。
【背景技術】
【０００２】
石灯籠とは、通常、最下位に位置する基礎の上に、竿、中台、火袋、そして最上位に笠と言われる各石部材を重ね合わせて成るものである。  従って、その全体は縦方向に単純に積み重ねてあるだけのため、強い地震発生時には倒壊して破損事故を招いてしまうことを余儀なくされた。
【０００３】
従来、このような事態発生を防止する手段として、例えば墓石の場合においては、石材の各部を一括して連結するようなボルトを収装しておくようにしたものがある（例えば、特許文献１参照。）。  従って、石灯籠の場合もこれに準じた手段でその補強を図ることが考えられるが、実際問題としては、既存の石灯籠にこのような手段を採ることは大変困難である。  また、各石部材をセメント等で接合してしまうことも考えられるが、外観的な問題が生じることとなる。
【先行技術文献】
【特許文献】
【０００４】
【特許文献１】特開２００６−２２４８７号公報
【発明の概要】
【発明が解決しようとする課題】
【０００５】
上述したような従来の手段は、耐震手段に属し、倒れないように補強すると言うような観点に基づくものである。  そして、石灯籠の製作時に対応しておくようなものであるため、既存の石灯籠に対する実施は殆ど不可能であり、また、可能としても費用が掛かってしまうことを余儀なくされた。
【０００６】
本発明は上記のような問題点の解消化を企図し、耐震と言うよりも、震動を逃がしてやる免震的なものとすると共に、既存の石灯籠に対しても加工的実施を可能とする「免震機能を具えた石灯籠」と言う新規の製品を提供するものである。
【課題を解決するための手段】
【０００７】
本発明は請求項１に記載のように、石灯籠を構成する火袋４の頂面中央部に弾力性を具えたゴム製柱６を立設すると共に、当該ゴム製柱６の上端に対し、下面を凹状面5aとする笠石状を呈するバランス用重り５を、その内面中心部において連結するように構成した免震機能を具えた石灯籠に係る。
【０００８】
本発明は請求項２に記載のように、バランス用重り５として、既存の石灯籠の笠から加工形成したものを用いるようにした請求項１に記載の免震機能を具えた石灯籠を実施の態様とする。
【０００９】
本発明は請求項３に記載のように、ゴム製柱の表面に劣化防止用の被覆材を設けるように構成した請求項１または請求項２の何れかに記載の免震機能を具えた石灯籠。
【００１０】
本発明は請求項４に記載のように、火袋４の上面周縁寄りに、バランス用重り５に対する緩衝材７を取付けるように構成した請求項１乃至請求項３の何れかに記載の免震機能を具えた石灯籠を実施の態様とする。
【００１１】
本発明は請求項５に記載のように、基礎１、竿２、中台３、火袋４の各積み重ね縁部分に、ゴム製コーナ片８を取付けるように構成した請求項１乃至請求項４の何れかに記載の免震機能を具えた石灯籠を実施の態様とする。
【発明の効果】
【００１２】
本発明は請求項１に記載のような構成、すなわち、石灯籠を構成する火袋４の頂面中央部に弾力性を具えたゴム製柱６を立設すると共に、当該ゴム製柱６の上端に対し、下面を凹状面5aとする笠石状を呈するバランス用重り５を、その内面中心部において連結するように構成したから、地震発生時、バランス用重り５は地震の震動と逆の方向に同期する首振り的振動が行われることとなる。  従って、地震発生に伴う当該バランス用重り５の振動に基づき、石灯籠に対する免震作用が働き、その倒伏事故を未然に回避させる。
【００１３】
すなわち、地震により石灯籠が図３に矢印で示す方向に傾いた際は、慣性の法則に基づきバランス用重り５には、これと反対方向に動かすような反力が生じ、そのため、当該重り５は同図に矢印で示す方向に振れ動くこととなる。  バランス用重り５は、このような地震の震動と常に逆方向の揺れ動きが生じ、これが石灯籠に対する倒伏を阻止するような反力として加わり、免震的作用が奏される。  更に、直下型地震の場合、石灯籠を上方に跳ね上げるような力として働くが、バランス用重り５の垂下方向への重石的な働きと、介在されているゴム製柱６が圧縮されることに依り、直下型地震の力を吸収することができる。
【００１４】
本発明は請求項２に記載のような構成、すなわち、バランス用重り５として、既存の石灯籠の笠から加工形成したものを用いることに依り、古くからある石灯籠であってもこれに対する免震対応を付与することができる。
【００１５】
本発明は請求項３に記載のような構成、すなわち、ゴム製柱６の表面に劣化防止用の被覆材を設けることに依り、当該柱がゴム製であることに起因する経年劣化を阻止することができる。
【００１６】
本発明は請求項４に記載のような構成、すなわち、火袋４の上面周縁寄りに、バランス用重り５に対する緩衝材７を取付けるように構成したから、当該バランス用重り５が激しく振れた際に火袋４の頂面激突を阻止し、当該衝突に基づく破損と言う心配を解消する。
【００１７】
本発明は請求項５に記載のような構成、すなわち、基礎１、竿２、中台３、火袋４の各積み重ね縁部分に、ゴム製コーナ片８を取付けるように構成した中台１、上台２、竿石３の各積み重ね縁部分に、ゴム製コーナ片８を取付けるように構成したから、地震に依るズレ動きが防止されると共に、これがゴム材であることに基づき、揺れの緩和吸収作用が奏される。
【図面の簡単な説明】
【００１８】
【図１】本発明の第１の実施例を表した正面図である。
【図２】同上平面図である。
【図３】本発明の要部を表した一部切欠正面図である。
【図４】本発明の他の実施例の要部を表した一部切欠正面図である。
【発明を実施するための形態】
【００１９】
図１乃至図３は本発明の実施例を表したものである。  同図において、Aは石灯籠であって、図示のものは、基礎１、竿２、中台３を火袋４の各石部を順次積み重ねて構成すると共に、最上位に笠と称される石を積み重ねて形成される極めて一般的な形態のものである。  そして、本発明の実施対象とする石灯籠は、最上位に載置される笠石部分の構成に特徴を有するものである。
【００２０】
５は下面を凹状面5aとする笠石状を呈するバランス用重りであって、石材、コンクリート、鉄材等、重量性を具えた材料で製したものである。  そして、当該重り５は平面真円状を呈するものとすることが、無指向的なバランス性確保のためには好ましいが、絶対的な要件とするものではない。  また、バランス用重り５にはその正面等に家紋を設けるようにして実施する場合もある。
【００２１】
そして、上記バランス用重り５であるが、これは新たに製造することなく、既存の笠石を改良して実施することができる。  すなわち、新しく石灯篭を造る場合は当該バランス用重り５も新たに製造するが、古い石灯籠の場合は、既存の笠(石)を加工して実施することができる。
【００２２】
６ゴム製柱であって、良好な撓り及びその復帰がなされる弾力性を具えたものである。そして、当該ゴム製柱５の上端は、前記バランス用重り５の下面中心部に連結すると共に、その下端は火袋４の頂面部中心に固定することに依って、バランス用重り５を搖動自在(無指向的な振り子運動自在)に取り付けてある。  なお、当該ゴム製柱５の表面に所要の被覆材で覆っておくことに依り、経年劣化を防止する様にして実施することもできる。
【００２３】
上記構成に基づき、バランス用重り５は、地震が発生した際に生じるその下方部分の揺れ動きに連動し、その逆の方向に揺れ動くような首振り的振動、換言すると地震の震動の方向に対してその逆の方向に同期させた首振り的振動が行われる。
【００２４】
すなわち、上述したような作動は、地震により石灯籠Aが全体として図３に矢印で示す方向に傾いた際、慣性の法則に基づきバランス用重り５には、これと反対方向に動かすような反力が生じ、そのため、当該重り５は同図に矢印で示す方向に振れ動くこととなる。  バランス用重り５は、このような地震の震動と常に逆方向の揺れ動きが生じ、これが石灯籠自体の倒伏を阻止するような引き起こし力として作用し、石灯籠全体に対する免震的効果が奏される。
【００２５】
また、バランス用重り５の重量、及び、ゴム製柱６の長さ、並びに弾性力は、取付け対象とする石灯籠の大きさによって異なってくるため、これらは必要に応じて適宜設定する。
【００２６】
ゴム製柱５の火袋４の頂面に対する固定手段であるが、これは接着剤に依る固定化を図ることを通常とするが、場合に依っては単に挿し込んでおくだけでもよい。  この場合、バランス用重り５の着脱の自在性が確保される。
【００２７】
すなわち、本発明を既存の石灯籠に対して実施する場合は、上記のような接着剤に依存する後付的取付け手段を採ることが好ましい。  然し乍、新規な石灯籠に実施する場合は、埋め込み固定等、適宜な手段であっても可とする。
【００２８】
なお、図４に示すように、火袋４の上面周縁寄りにバランス用重り４に対する緩衝材７を取付けておくことに依り、当該バランス用重り４が激しく振れた際に竿石３の頂面激突を緩和する様に構成される。  本発明はこのような形態で実施する場合もある。  なお、当該緩衝材７をバランス用重り４側に取付けた場合も同様な効果を奏するため、このような形態で実施することも可能である。
【００２９】
８はゴム製コーナ片であって、基礎１、竿２、中台３を火袋４の各石部の積み重ね縁部分に取付けることに依って、地震に依るズレ動きを防止するためのものである。  なお、これはゴム材であることに基づき、揺れの緩和吸収作用も奏される。
【００３０】
本発明は主として既存の石灯籠に対して装着して実施するものである。  地震発生時の石灯籠は、通常、地震発生に伴いその全体の揺れ動きに基づき倒壊してしまう。  これに対して本発明を施した場合、そのバランス用重り５が地震の震動と反対方向へ振動して、その反力に基づき地震の震動に対する石灯籠の傾動を最小化すると言うような免震作用が奏される。
【符号の説明】
【００３１】
A    石灯籠
１    基礎
２    竿
３    中台
４    火袋
５    バランス用重り
5a    凹状面
６    ゴム製柱
７    緩衝材
８    ゴム製コーナ片
【図１】
2013248765.tif 000003
【図２】
2013248765.tif 000004
【図３】
2013248765.tif 000005
【図４】
2013248765.tif 000006